(57)【要約】  アプリケータ装置は、光活性配合物アセンブリ及び光活性配合物アセンブリに操作可能に連結されたフォトドーズアセンブリを含む。光活性配合物アセンブリは、一つ又は複数のディスペンサー部位及び一つ又は複数の光活性化可能配合物リザーバを含む。光活性配合物アセンブリは、一つ又は複数の光活性化可能配合物リザーバから生体表面の一つ又は複数の領域上へ光活性化可能配合物を分注するように操作可能である。フォトドーズアセンブリは、電磁エネルギーを生体表面の一つ又は複数の焦域の上に集束させるために配向された少なくとも一つのイルミネータを含む。集束された電磁エネルギーは、一つ又は複数の光活性化可能配合物リザーバから分注された光活性化可能配合物を光活性化するのに十分な特性及び継続時間を有している。【選択図】図１
2018529397.tif 000002
【特許請求の範囲】
【請求項１】
アプリケータ装置であって、
一つ又は複数のディスペンサー部位及び一つ又は複数の光活性化可能配合物リザーバを含む光活性配合物アセンブリ、及び
前記光活性配合物アセンブリに操作可能に連結されたフォトドーズアセンブリを含み、
前記光活性配合物アセンブリは、前記一つ又は複数の光活性化可能配合物リザーバから光活性化可能配合物を生体表面の一つ又は複数の領域に分注するように操作可能であり、
前記フォトドーズアセンブリは、電磁エネルギーを生体表面の一つ又は複数の焦域の上に集束させるために配向された少なくとも一つのイルミネータを含み、
前記集束された電磁エネルギーは、前記一つ又は複数の光活性化可能配合物リザーバから分注された光活性化可能配合物を光活性化するのに十分な特性及び継続時間を有している、アプリケータ装置。
【請求項２】
請求項１に記載のアプリケータ装置であって、前記少なくとも一つのイルミネータを活性化させるように構成された、少なくとも一つの近接センサを含む、アプリケータ装置。
【請求項３】
請求項２に記載のアプリケータ装置であって、前記少なくとも一つの近接センサが、赤外線センサ、音響センサ、超音波センサ、コンダクタンスセンサ、誘電センサ、キャパシタンスセンサ、電気化学センサ、蛍光センサ、力センサ、熱センサ、熱電対、サーミスター、インターデジタルセンサ、光学センサ、生理学的センサ、誘導センサからなる群から選択される、アプリケータ装置。
【請求項４】
請求項２に記載のアプリケータ装置であって、前記近接センサが、前記少なくとも一つのイルミネータを活性化させるためには前記生体表面との接触が必要である、アプリケータ装置。
【請求項５】
請求項１に記載のアプリケータ装置であって、前記イルミネータが、前記生体表面上にイメージを投影するように操作可能である、アプリケータ装置。
【請求項６】
請求項５に記載のアプリケータ装置であって、前記イメージが、処置のための指示、処置を案内するための標的又はガイド、あるいは通知の一つ又は複数を含む、アプリケータ装置。
【請求項７】
請求項１に記載のアプリケータ装置であって、前記生体表面のイメージを撮影するように操作可能なカメラを含む、アプリケータ装置。
【請求項８】
請求項１に記載のアプリケータ装置であって、前記ディスペンサー部位が、当該ディスペンサー部位の外面上の生体適合性を有する導電性コーティングを含む、アプリケータ装置。
【請求項９】
請求項８に記載のアプリケータ装置であって、前記生体適合性を有する導電性コーティングが、ポリエチレンジオキチオフェン、これらのナノ複合体、又はグラフェンを含む、アプリケータ装置。
【請求項１０】
請求項８に記載のアプリケータ装置であって、前記生体適合性を有する導電性コーティングが電極である、アプリケータ装置。
【請求項１１】
請求項１に記載のアプリケータ装置であって、前記ディスペンサー部位が、前記生体表面上をロールするように操作可能なボールを含む、アプリケータ装置。
【請求項１２】
請求項１に記載のアプリケータ装置であって、
前記ディスペンサー部位に近接しているシールドを含み、
前記シールドは、前記少なくとも一つのイルミネータから前記ディスペンサー部位へ向けて光を透過させるように操作可能な一方向ミラーを含んでいる、アプリケータ装置。
【請求項１３】
請求項１２に記載のアプリケータ装置であって、前記シールドが反射光をブロックするように操作可能である、アプリケータ装置。
【請求項１４】
請求項１２に記載のアプリケータ装置であって、前記シールドが半球形状を有している、アプリケータ装置。
【請求項１５】
請求項１に記載のアプリケータ装置であって、前記光活性配合物アセンブリが、情報が埋めこまれた機械読取り可能な特性を含む、アプリケータ装置。
【請求項１６】
請求項１５に記載のアプリケータ装置であって、前記機械読取り可能な特性が、無線周波数識別タグ、磁気チップ、バーコード、二次元バーコード、又は他の任意の電気的に読取り可能なチップである、アプリケータ装置。
【請求項１７】
請求項１５に記載のアプリケータ装置であって、前記情報が、前記光活性配合物を活性化するための波長、時間、振幅、又はこれらの組み合わせを含む、アプリケータ装置。
【請求項１８】
請求項１５に記載のアプリケータ装置であって、
前記フォトドーズアセンブリが、前記機械読取り可能な特性の近傍に位置するように構成されたリーダーを含み、
前記リーダーは、前記機械読取り可能な特性に提供された情報を読み取ることが可能な、アプリケータ装置。
【請求項１９】
請求項１８に記載のアプリケータ装置であって、前記フォトドーズアセンブリが、前記イルミネータにより届けられた前記電磁エネルギーの波長、前記イルミネータがオンである時間、前記イルミネータにより生成される電磁エネルギーの振幅、又は任意の組み合わせを、前記機械読取り可能な特性の情報に基づいて制御するように操作可能である、アプリケータ装置。
【請求項２０】
請求項１に記載のアプリケータ装置であって、
前記光活性配合物アセンブリが、前記光活性配合物が活性化される波長、時間、又は振幅が埋めこまれた機械読取り可能な特性を含み、
前記フォトドーズアセンブリが、前記機械読取り可能な特性の近傍に配置されたリーダーを含む、アプリケータ装置。
【請求項２１】
請求項１に記載のアプリケータ装置であって、前記光活性配合物アセンブリが、外部表面に固定された一つ又は複数の導波管を含む、アプリケータ装置。
【請求項２２】
請求項１に記載のアプリケータ装置であって、
前記フォトドーズアセンブリの内面と前記光活性配合物アセンブリの外面の間に配置された空洞を含み、
前記フォトドーズアセンブリの内面及び前記光活性配合物アセンブリの外面は反射面を有している、アプリケータ装置。
【請求項２３】
請求項２２に記載のアプリケータ装置であって、前記空洞が楕円反射鏡を形成する、アプリケータ装置。
【請求項２４】
請求項１に記載のアプリケータ装置であって、
前記ディスペンサー部位が、フレキシブルな外面を有するボール、及び当該フレキシブルな外面内の液体又はゲルを含む、アプリケータ装置。
【請求項２５】
請求項１に記載のアプリケータ装置であって、
前記光活性配合物アセンブリに操作可能に連結されるように構成されたフォトドーズアセンブリを含み、
前記光活性配合物アセンブリが、前記フォトドーズアセンブリへの挿入を単一の方向性により可能にする、アプリケータ装置。
【請求項２６】
光活性化可能配合物を付与する方法であって、
光活性配合物アセンブリのディスペンサー部位によって、光活性化可能配合物を一つ又は複数の光活性化可能配合物リザーバから生体表面の一つ又は複数の領域上に分注し、
前記光活性配合物アセンブリ上の機械読取り可能な特性から、前記光活性化可能配合物を活性化するために必要な情報を読取り、
前記光活性配合物アセンブリに操作可能に連結されたフォトドーズアセンブリによって、少なくとも一つのイルミネータから前記生体表面の一つ又は複数の焦域上へ電磁エネルギーを集束させることを含み、
前記電磁エネルギーの波長、前記イルミネータがオンにされている時間、前記電磁エネルギーの振幅、又は任意の組み合わせは、前記機械読取り可能な特性から読み取られた情報に基づく、方法。
【発明の詳細な説明】
【技術分野】
【０００１】
＜関連出願＞
本出願は、２０１６年５月１６日に出願された米国仮出願第６２／３３７，０７２号及び２０１５年８月１８日に出願された米国出願第１４／８２９，３７０号の内容を、参照によりその全体を本明細書に組み込むものであり、また、本出願は米国出願第１４／８２９，３７０の一部継続出願である。
【０００２】
＜概要＞
一つの実施形態において、アプリケータ装置は、光活性配合物アセンブリ及び光活性配合物アセンブリに操作可能に連結されたフォトドーズアセンブリを含む。光活性配合物アセンブリは、ディスペンサー部位及び一つ又は複数の光活性化可能配合物リザーバを含む。光活性配合物アセンブリは、一つ又は複数の光活性化可能配合物リザーバから生体表面の一つ又は複数の領域上へ光活性化可能配合物を分注するように操作可能である。フォトドーズアセンブリは、電磁エネルギーを生体表面の一つ又は複数の焦域の上に集束させるために配向された少なくとも一つのイルミネータを含む。集束された電磁エネルギーは、一つ又は複数の光活性化可能配合物リザーバから分注された光活性化可能配合物を光活性化するのに十分な特性及び継続時間を有している。
【０００３】
一つの例において、光活性配合物アセンブリは、少なくとも一つの交換可能な配合物カートリッジを含む。別の例において、光活性配合物は、一つ又は複数の光活性ポリマー、光活性オリゴマー、光活性モノマー、架橋性ポリマーなどを含む。別の例において、光活性配合物アセンブリは、一つ又は複数の光変性材料を含む。別の例において、フォトドーズアセンブリは、ディスペンサー部位に近接した光リングを含む。
【０００４】
一つの実施形態において、フォトドーズアセンブリは少なくとも一つの導波路構造を含む。一つの実施形態において、フォトドーズアセンブリは、放射された電磁エネルギー刺激を生体表面の一つ又は複数の焦域へ向けるように構成された一つ又は複数の導波路構造を含む。導波路構造の非限定的な例は、電磁エネルギー導波管、音響エネルギー導波管（例えば、超音波エネルギー導波管）、光エネルギー導波管（例えば、光ファイバー、フォトニック結晶ファイバーなど）、放射導波管、熱エネルギー導波管などを含む。導波路構造の更なる非限定的な例は、回折素子（例えば、格子、クロス格子など）、拡散素子、エッチング、ファセット、溝、レンズ構造、光拡散構造、ミラー構造、ミラー表面、光学マイクロプリズム、レンズ（例えば、マイクロレンズなど）、反射コーティング、反射材料、反射表面、テクスチャ加工、薄膜など、およびそれらの組み合わせを含む。一つの実施形態において、導波路構造は、電磁エネルギーの波を誘導するのに適した構造を含む。
【０００５】
一つの実施形態において、導波路構造は、透明、半透明、又は光透過性材料、及びそれらの組み合わせ又は複合材料の少なくとも一つを含む。透明、半透明、又は光透過性材料の非限定的な例には、光波の透過または伝播に対して低い光減衰率を有する材料が含まれる。透明、半透明、又は光透過性材料の更なる非限定的な例には、ホウケイ酸ガラス、結晶、エポキシ、ガラス、光学的に透明な材料、プラスチック、ポリマー、樹脂、半透明材料、熱樹脂、熱プラスチックなど、及びそれらの組み合わせ又は複合体が含まれる。
【０００６】
別の例において、フォトドーズアセンブリ２６は、複数の導波路構造を含む。別の例において、光活性配合物アセンブリは、光活性化可能配合物を生体表面の一つ又は複数の領域上に分注するためのローラアセンブリを含み、フォトドーズアセンブリは、ローラアセンブリに近接した光リングを含む。一つの実施形態において、フォトドーズアセンブリは一つ又は複数の導波管を含む。一つの実施形態において、ローラアセンブリは一つ又は複数の導波管から構成される。
【０００７】
別の例において、フォトドーズアセンブリは、スペクトルパラメータを光変性組成物の種類が示す情報に基づいて調整するように構成されている。例えば、操作の際、フォトドーズアセンブリは、放射強度、放射位相、放射偏光、放射波長（例えば、ピーク放射波長、発光波長、平均放射波長など）、パルス周波数などを、光変性組成物の種類が示す一つ又は複数を入力に応じて変化させるように構成された回路を含む。
【０００８】
別の例において、スペクトルパラメータは、集束された電磁エネルギー、集束された電磁エネルギーの強度、又は集束された電磁エネルギーの継続時間の一つ又は複数を含む。別の例において、光活性配合物アセンブリは、光活性化可能配合物を、一つは又は複数の光活性化可能配合物リザーバから生体表面の一つ又は複数の領域上へ、光変性速度に見合った速度で分注する。
【０００９】
別の例において、イルミネータ、は光活性配合物アセンブリのディスペンサー部位に対して同心円状に配置される。別の例において、電磁エネルギーは、一つ又は複数の光活性化可能配合物リザーバ内の光活性化可能配合物に基づいて選択される。別の例において、集束された電磁エネルギーは、複数の波長における電磁エネルギーを含み、この複数の波長は、複数の光活性化可能配合物のコーティングを光活性化するように操作可能である。別の例において、光活性配合物アセンブリは、少なくとも一つの光活性化可能配合物ネブライザを含む。
【００１０】
別の一つの実施形態において、光活性化可能配合物を付与する方法は、光活性配合物アセンブリのディスペンサー部位によって、光活性化可能配合物を一つ又は複数の光活性化可能配合物リザーバから生体表面の一つ又は複数の領域上に分注し、光活性配合物アセンブリに連結されたフォトドーズアセンブリによって、少なくとも一つのイルミネータから生体表面の一つ又は複数の焦域上へ電磁エネルギーを集束させることを含む。集束された電磁エネルギーは、一つ又は複数の光活性化可能配合物リザーバから分注された光活性化可能配合物を光活性化するのに十分な特性及び継続時間を有している。
【００１１】
一つの例において、光活性配合物アセンブリは、配合物カートリッジの交換可能な部品であり、光活性化可能配合物を分注することは、光活性化可能配合物を交換可能な配合物カートリッジから分注することを含む。別の例において、この方法はさらに、交換可能な配合物カートリッジを、フォトドーズアセンブリを含むアプリケータから取り外し、第二の交換可能な配合物カートリッジをアプリケータに取り付け、そして第二の交換可能な配合物カートリッジから第二の光活性化可能配合物を生体表面の一つ又は複数の領域上に分注することを含む。別の例において、この方法はさらに、フォトドーズアセンブリによって少なくとも一つのイルミネータからの電磁エネルギーを生体表面の一つ又は複数の焦域上に集束させることを含み、集束された電磁エネルギーは、第二の交換可能な配合物カートリッジから分注された第二の光活性化可能配合物を光活性化するのに十分な特性及び継続時間を有している。
【００１２】
一つの実施形態において、アプリケータ装置は、一つ又は複数のディスペンサー部位及び一つ又は複数の光活性化可能配合物リザーバを含む光活性配合物アセンブリを含み、光活性配合物アセンブリは光活性化可能配合物を一つ又は複数の光活性化可能配合物リザーバから生体表面の一つ又は複数の領域上へ分注するように操作可能であり、フォトドーズアセンブリは光活性配合物アセンブリに操作可能に連結され、フォトドーズアセンブリは、電磁エネルギーを生体表面の一つ又は複数の焦域上に集束させるために配向された少なくとも一つのイルミネータを含み、集束された電磁エネルギーは、一つ又は複数の光活性化可能配合物リザーバから分注された光活性化可能配合物を光活性化するのに十分な特性及び継続時間を有している。
【００１３】
一つの実施形態において、アプリケータ装置は、少なくとも一つのイルミネータを活性化するように構成された少なくとも一つの近接センサを含む。一つの例において、少なくとも一つの近接センサは、赤外線センサ、音響センサ、超音波センサ、コンダクタンスセンサ、誘電センサ、キャパシタンスセンサ、電気化学センサ、蛍光センサ、力センサ、熱センサ、熱電対、サーミスター、インターデジタルセンサ、光学センサ、生理学的センサ、及び誘導センサからなる群から選択される。一つの例において、近接センサは、少なくとも一つのイルミネータを活性化させるためには生体表面との接触が必要である。
【００１４】
一つの実施形態において、イルミネータは、生体表面上にイメージを投影するように操作可能である。一つの例において、イメージは、処置のための指示、処置を案内するための標的又はガイド、あるいは通知の一つ又は複数を含む。
【００１５】
一つの実施形態において、アプリケータ装置は、生体表面のイメージを撮影するように操作可能なカメラを含む。
【００１６】
一つの実施形態において、ディスペンサー部位は、当該ディスペンサー部位の外面上の生体適合性を有する導電性コーティングを含む。
【００１７】
一つの実施形態において、ディスペンサー部位は、生体表面上をロールするように操作可能なボールを含む。一つの例において、生体適合性を有する導電性コーティングは、ポリエチレンジオキチオフェン、これらのナノ複合体、又はグラフェンを含む。一つの例において、生体適合性を有する導電性コーティングは電極である。
【００１８】
一つの実施形態において、アプリケータ装置は、ディスペンサー部位に近接しているシールドを含み、シールドは、少なくとも一つのイルミネータからディスペンサー部位へ向けて光を透過させるように操作可能な一方向ミラーを含む。一つの例において、シールドは反射光をブロックするように操作可能である。一つの例において、シールドは半球形状を有している。
【００１９】
一つの実施形態において、光活性配合物アセンブリは、情報が埋めこまれた機械読取り可能な特性を含む。一つの例において、機械読取り可能な特性は、無線周波数識別タグ、磁気チップ、バーコード、二次元バーコード、又は他の任意の電気的に読取り可能なチップである。一つの例において、情報は、光活性配合物を活性化するための波長、時間、振幅、又はこれらの組み合わせを含む。
【００２０】
一つの実施形態において、フォトドーズアセンブリは、機械読取り可能な特性の近傍に位置するように構成されたリーダーを含み、リーダーは、機械読取り可能な特性に提供された情報を読み取ることが可能である。一つの例において、フォトドーズアセンブリは、イルミネータにより届けられた電磁エネルギーの波長、イルミネータがオンである時間、イルミネータにより生成される電磁エネルギーの振幅、又は任意の組み合わせを、機械読取り可能な特性の情報に基づいて制御するように操作可能である。
【００２１】
一つの実施形態において、光活性配合物アセンブリは、光活性配合物が活性化される波長、時間、又は振幅が埋めこまれた機械読取り可能な特性を含み、フォトドーズアセンブリは、機械読取り可能な特性の近傍に配置されたリーダーを含む。
【００２２】
一つの実施形態において、光活性配合物アセンブリは、外部表面に固定された一つ又は複数の導波管を含む。
【００２３】
一つの実施形態において、アプリケータ装置は、フォトドーズアセンブリの内面と光活性配合物アセンブリの外面の間に配置された空洞を含み、フォトドーズアセンブリの内面及び光活性配合物アセンブリの外面は反射面を有している。一つの例において、空洞は楕円反射鏡を形成する。
【００２４】
一つの実施形態において、ディスペンサー部位は、フレキシブルな外面を有するボール、及びフレキシブルな外面内の液体又はゲルを含む。
【００２５】
一つの実施形態において、アプリケータ装置は、一つ又は複数のディスペンサー部位及び一つ又は複数の光活性化可能配合物リザーバを含む光活性配合物アセンブリを含み、光活性配合物アセンブリは、一つ又は複数の光活性化可能配合物リザーバから生体表面の一つ又は複数の領域上へ光活性化可能配合物を分注するように操作可能であり、フォトドーズアセンブリは、光活性配合物アセンブリに操作可能に連結され、光活性配合物アセンブリは、前記フォトドーズアセンブリへの挿入を単一の方向性により可能にし、少なくとも一つのイルミネータを含むフォトドーズアセンブリは、電磁エネルギーを生体表面の一つ又は複数の焦域の上に集束させるために配向され、集束された電磁エネルギーは、一つ又は複数の光活性化可能配合物リザーバから分注された光活性化可能配合物を光活性化するのに十分な特性及び継続時間を有している。
【００２６】
一つの実施形態において、光活性化可能配合物を付与する方法は、光活性配合物アセンブリのディスペンサー部位によって、光活性化可能配合物を一つ又は複数の光活性化可能配合物リザーバから生体表面の一つ又は複数の領域上に分注し、光活性配合物アセンブリ上の機械読取り可能な特性から、光活性化可能配合物を活性化するために必要な情報を読取り、そして光活性配合物アセンブリに操作可能に連結されたフォトドーズアセンブリによって、少なくとも一つのイルミネータから生体表面の一つ又は複数の焦域上へ電磁エネルギーを集束させることを含み、電磁エネルギーの波長、イルミネータがオンにされている時間、電磁エネルギーの振幅、又は任意の組み合わせは、機械読取り可能な特性から読み取られた情報に基づく。
【００２７】
この概要は、以下の詳細な説明でさらに説明される概念の選択を簡略化された形で紹介するために提供される。この概要は、特許請求の範囲に記載の発明の内容の重要な特徴を特定することを意図するものでもなければ、特許請求の範囲に記載の発明の内容の範囲を判定する助けとして使用されることを意図するものでもない。
【００２８】
開示される本発明の側面及び付随する利点の多くは、添付の図面と合わせて以下の詳細な説明を参照することによって、よりよく理解されるにつれて、より容易に理解されるようになるものである。
【図面の簡単な説明】
【００２９】
【図１】図１は、以下の実施形態に開示される、光活性化可能配合物を分注し、分注された光活性化可能配合物を光活性化するためのアプリケータの一実施形態の斜視図である。
【図２】図２は、以下の実施形態に開示される、図１に示される一実施形態に係るアプリケータの別の斜視図である。
【図３】図３は、以下の実施形態に開示される、図１に示される一実施形態に係るアプリケータを横から見た断面図である。
【図４】図４は、以下の実施形態に開示される、図１に示される一実施形態に係るアプリケータを横から見た分解図である。
【図５】図５は、以下の実施形態に開示される、図１に示される一実施形態に係るアプリケータの分解斜視図である。
【図６】図６は、以下の実施形態に開示される、図１に示される一実施形態に係るアプリケータのディスペンサーの端部の部分断面図である。
【図７】図７は、以下の実施形態に開示される、図１に示される一実施形態に係るアプリケータのディスペンサーの端部の端面図である。
【図８】図８は、以下の実施形態に開示される、図１に示される一実施形態に係るアプリケータの斜視図である。
【図９】図９は、光活性化可能配合物を付与する方法の一実施形態であり、以下に開示される光活性化可能配合物を分注し光活性化可能なアプリケータの実施形態の利用により実施可能なものである。
【図１０】図１０は、以下の実施形態に開示されるアプリケータの横からみた断面図である。
【図１１】図１１は、以下の実施形態に開示されるアプリケータの横からみた断面図である。
【００３０】
＜詳細な説明＞
配合物アプリケータは、肌や他の生体表面に配合物を付与するために用いられる。アプリケータから配合物を付与することが可能であることは、ユーザの利便性に特に影響する。他の配合物容器、例えば瓶、ボトルなどは容器内の配合物のいくらかの量を浪費することとなり、また、大気や他の環境因子へ暴露されることにより配合物の使用可能期間を短縮させてしまう。肌に付与される配合物には、メイクアップ、パーソナルソープ、スキンケア製品、ヘアケア製品、又は他の任意の化粧製品を含む。
【００３１】
光又は他の電磁エネルギーにより活性化される配合物がいくつか開発されている。これらの配合物は、光活性化可能配合物と呼ばれることがあるが、特定の特性を有する電磁エネルギーに特定の時間暴露されることによりいくらか光活性になるものである。いくつかの例において、光活性化可能配合物の活性化は、光活性化可能配合物の実体的な変化、光活性化可能配合物の反応、又は他の任意の光活性化可能配合物の作用又は変化を含む。一つの実施形態において、光活性化可能配合物の実体的な変化は電磁エネルギーによる刺激に起因する粘度の変化を含む。いくつかの例において、実体的な変化又は反応は、架橋、制御された放出、又はラジカルの生成を含む。光活性化可能配合物が活性化波長の電磁エネルギーに暴露されると、電磁エネルギーは光活性化可能配合物を活性化し、変化又は作用を引き起こす。いくつかの例において、活性化波長は特定の波長又は特定の範囲内の波長である。他の例において、光活性配合物は、光活性ポリマー、光活性オリゴマー、架橋性ポリマー、又は光変性材料の少なくとも一つを含む。
【００３２】
光活性化可能配合物のいくつかの例は、ファンデーション、リップスティック、マニキュア、皮膚カバー剤、皮膚充填剤、及び他の化粧品配合物用の架橋されたポリマーやオリゴマーを含む。架橋されたポリマーやオリゴマーのいくつかの例は、光ラジカル開始剤により架橋されるポリエチレングリコールアクリレート及び光架橋性スチルバゾール（ＳｂＱ）の官能基を導入された主鎖（ＳＭＡ−ＳｂＱ、ＰＶＡ−ＳｂＱ）を含む。一つの例において、いくつかのＰＶＡ−ＳｂＱ材料は３６５ｎｍの波長における紫外線の電磁エネルギーを用いることにより効率的に架橋される。可視光領域に及ぶより長い波長（すなわち、４００ｎｍより大きい波長）において架橋するように設計された他の配合物も開発されている。
【００３３】
光活性化可能配合物の例は、「Photo-Curable Cosmetic Compositions」と題する米国特許出願公開ＵＳ２０１３／０１７１０８３号、「Fast Curing Cosmetic Compositions for Tack Free Surface Photocuring of Radically Polymerizable Resins with UV-LED」と題する米国特許出願公開ＵＳ２０１５／００１３９９２４号、「Photo-Curable Resin for Cosmetic Application」と題する米国特許公開ＵＳ８，７３４，７７２号及び「Cosmetic Process for Making Up and/or Caring for the Lips」と題する国際公開ＷＯ２０１３／１９０４６９号により詳細に開示されており、これらの内容を、参照によりその全体を本明細書に組み込むものである。
【００３４】
図１〜図８は、光活性化可能配合物を分注し、分注された光活性化可能配合物を活性化するアプリケータ２０の実施形態を表す。図１及び図２は、アプリケータ２０の実施形態の斜視図を表す。図３は、アプリケータ２０の実施形態を横から見た断面図を表す。図４及び図５は、それぞれ、アプリケータ２０の実施形態の横から見た分解図及び分解斜視図を表す。図６は、アプリケータ２０のディスペンサーの端部の実施形態の部分断面図を表す。図７は、アプリケータ２０のディスペンサーの端部の実施形態の端面図を表す。図８は、アプリケータ２０の実施形態の斜視図を表す。
【００３５】
図１及び図２に表されるように、アプリケータ２０は光活性配合物アセンブリ２２を含む。光活性配合物アセンブリ２２は、光活性化可能配合物を生体表面上の一又は複数の領域（すなわち、皮膚の一部）に分注するように操作可能なディスペンサー部位２４を含む。図１及び図２に示される特定の実施形態において、ディスペンサー部位２４は球状ディスペンサーである。いくつかの例において、球状ディスペンサーの球は、金属球、セラミック球、又はポリマー球である。いくつかの実施形態において、ディスペンサー部位２４は規則的または不規則な断面形状を有するディスペンサーを含む。いくつかの実施形態において、ディスペンサー部位２４は回転楕円体の幾何学的形状、円柱形状などを有するディスペンサーを含む。いくつかの実施形態において、ディスペンサー部位２４は凹凸を施された表面を含む。いくつかの実施形態において、ディスペンサー部位２４は、疎水性コーティング、親水性コーティングなどの少なくとも一つを施された表面を含む。いくつかの実施形態において、ディスペンサー部位２４は摩擦係数が約０．１５〜約０．３の範囲にある表面材料を含む。いくつかの実施形態において、ディスペンサー部位２４は摩擦係数が約０．００５〜約０．２の範囲にある表面材料を含む。
【００３６】
いくつかの実施形態において、以下においてより詳細に開示されるように、アプリケータ２０は光活性化可能配合物リザーバを一つ又は複数含み、当該光活性化可能配合物リザーバから光活性化可能配合物が生体表面上の一又は複数の領域に分注される。
【００３７】
アプリケータ２０は、また、フォトドーズアセンブリ２６を含み、当該フォトドーズアセンブリ２６は光活性配合物アセンブリ２２に操作可能に連結している。以下においてより詳細に開示されるように、フォトドーズアセンブリ２６は、電磁エネルギーを生体表面の一つ又は複数の焦域に集中させるように配向した少なくとも一つのイルミネータを含んでいる。フォトドーズアセンブリ２６からの集束された電磁エネルギーは、光活性配合物アセンブリ２２から分注された光活性化可能配合物を光活性化するのに十分な特性及び継続時間を有する。
【００３８】
図１及び図２に示される実施形態において、フォトドーズアセンブリ２６は光リング２８を含み、当該光リング２８は光活性配合物アセンブリ２２に対して実質的に同心円状に配置されている。光リング２８は、また、フォトドーズアセンブリ２６の少なくとも一つのイルミネータから放射された電磁エネルギーが光リング２８を通過して生体表面の一つ又は複数の焦域に向けられるように配置されている。一つの実施形態においては、フォトドーズアセンブリ２６により放射される電磁エネルギーの分光パラメータの種類（例えば、波長、強度、又は継続時間）は、光変性組成物の種類により示される情報に基づいて選択される。いくつかの実施形態においては、光リング２８は、少なくとも一つのイルミネータから放射される電磁エネルギーを集束させるように構成され、レンズ、ディフューザ、またはグレーティングのうちの一つ又は複数を含む。
【００３９】
アプリケータ２０は、筐体３０も含む。一つの例において、筐体３０は光活性配合物アセンブリ２２及びフォトドーズアセンブリ２６を保持しており、ここで、フォトドーズアセンブリ２６の少なくとも一つのイルミネータは、生体表面の一つ又は複数の焦域に電磁エネルギーを集束させるように配向され、集束された電磁エネルギーは、光活性配合物アセンブリ２２の一つ又は複数の光活性化可能配合物リザーバから分注された光活性化可能配合物を光活性化させるのに十分な特性と継続時間を有している。いくつかの実施形態において、アプリケータ２０は、ユーザによるアプリケータ２０の使用を助けるためのボタン３２または把持部３４などのアクチベータなどの機能も含む。例えば、一つの実施形態においては、ボタン３２は電源ボタンであり、光活性配合物アセンブリ２２の反対側の端部に設けられ、フォトドーズアセンブリ２６へ電源を切り替えるように構成されている。別の実施形態においては、筐体３０はユーザがアプリケータ２０を把持する際に利便性を付与する把持部３４も含む。
【００４０】
図３〜図５から理解されるように、アプリケータ２０のフォトドーズアセンブリ２６は、少なくとも一つのイルミネータ３６を含む。イルミネータ３６の非限定的な例は、アークフラッシュランプ、空洞共振器、連続波バルブ、電気回路、電気導体、電磁エネルギー放出エミッタ、電磁放射エミッタ、電気機械部品、電気光学部品、白熱エミッタ、レーザーダイオード、レーザー、発光ダイオード（例えば、有機発光ダイオード、ポリマー発光ダイオード、ポリマー燐光発光ダイオード、マイクロキャビティ発光ダイオード、高効率発光ダイオードなど）、量子ドットなどを含む。
【００４１】
一つの例において、少なくとも一つのイルミネータ３６は電磁エネルギー源であり、例えば発光ダイオード（ＬＥＤ）である。ここに表される例において、少なくとも一つのイルミネータ３６は６つのＬＥＤを含むが、当該少なくとも一つのイルミネータ３６はイルミネータをいくつ含んでいてもよく、例えば一つのイルミネータ又は複数のイルミネータを含み得る。少なくとも一つのイルミネータ３６は、生体表面の一つ又は複数の焦域に電磁エネルギーを集束させるように配置され、集束された電磁エネルギーは、光活性配合物アセンブリ２２の一つ又は複数の光活性化可能配合物リザーバから分注された光活性化可能配合物を光活性化させるのに十分な特性と継続時間を有している。一つの例において、少なくとも一つのイルミネータ３６は、複数の離間した電磁エネルギー放出要素を含むパターン化されたイルミネータを含む。
【００４２】
一つの実施形態において、少なくとも一つのイルミネータ３６により放射される電磁エネルギーの一つ又は複数のスペクトルパラメータ（例えば、電磁エネルギーの波長、電磁エネルギーの強度、電磁エネルギーの継続時間など）は、特定の光活性化可能配合物に基づいて選択される。一つの実施形態において、少なくとも一つのイルミネータ３６はIII-V半導体材料又はIII-N半導体材料を含む少なくとも一つのＬＥＤを含む。III-V及びIII-NのＬＥＤ技術によれば、電磁スペクトルにおいて紫外線領域（すなわち、約１０ｎｍ−約４００ｎｍ）から可視光領域（すなわち、約４００ｎｍ−約７００ｎｍ）にかけて、紫外線領域（すなわち、約７００ｎｍ−約１ｍｍ）に至るまでの波長が得られる。これらのデバイスの出力密度及び寸法はまた、広い範囲をカバーする。
【００４３】
一つの実施形態において、複数のイルミネータは赤外、可視又は紫外スペクトル、あるいはこれらの組み合わせにおける一つ又は複数のピーク放射波長を有する発光を放射するように構成されている。例えば、操作の間、イルミネータ３６は少なくとも約７００ｎｍ〜約１ｍｍの範囲においてピーク放射波長を与える。一つの実施形態において、少なくとも一つのイルミネータ３６は約５μｍ〜約１０μｍの範囲においてピーク放射波長を与える。一つの実施形態において、少なくとも一つのイルミネータ３６は約４００ｎｍ〜約７００ｎｍの範囲においてピーク放射波長を与える。
【００４４】
一つの実施形態において、フォトドーズアセンブリ２６は、放射強度、放射位相、放射偏光、放射波長（例えば、ピーク放射波長、発光波長、平均放射波長など）、パルス周波数などの一つ又は複数を変化させるように構成された回路を含む。
【００４５】
図３〜図５に示される具体的に実施形態において、フォトドーズアセンブリ２６は少なくとも一つの導波路構造３８も含む。ここに開示される実施形態において、少なくとも一つのイルミネータ３６は、電磁エネルギーを少なくとも一つの導波路構造３８へ向けて放射するように配置されている。少なくとも一つの導波路構造３８は、少なくとも一つのイルミネータ３６からの電磁エネルギーを伝えるように構成されている。
【００４６】
図３〜図５に示される具体的な実施形態において、少なくとも一つの導波路構造３８は６つの電磁エネルギーパイプを含む。いくつかの例において、少なくとも一つの導波路構造３８は、電磁エネルギーを伝導可能なセグメント化されたガラス、ポリマー、又は他の任意の材料から形成される。一つの実施形態において、少なくとも一つの導波路構造３８の数は少なくとも一つのイルミネータ３６の数と同じであるが、少なくとも一つのイルミネータ３６の数と少なくとも一つの導波路構造３８の数は異なっていてもよい。一つの実施形態において、少なくとも一つのイルミネータ３６の数及び少なくとも一つの導波路構造３８の数はアプリケータ２０の大きさ、光活性化可能配合物の光束要件、又は他の任意の因子に基づいて選択される。
【００４７】
開示される実施形態において、電磁エネルギー源は光リング２８を含む。少なくとも一つの導波路構造３８は、少なくとも一つのイルミネータ３６からの電磁エネルギーを光リング２８へ伝えるように構成されている。少なくとも一つの導波路構造３８又は光リング２８のうち、一つ又は両方が電磁エネルギーを集束するように構成され、フォトドーズアセンブリ２６は、集束された電磁エネルギーを生体表面の一つ又は複数の焦域へ向けて、光活性配合物アセンブリ２２の一つ又は複数の光活性化可能配合物リザーバから分注された光活性化可能配合物を光活性化させるように配向されている。
【００４８】
いくつかの実施形態において、アプリケータ２０は、例えば制御回路のようなコントローラ４０も含み、これは少なくとも一つのイルミネータ３６用である。一つの例において、コントローラ４０は少なくとも一つのイルミネータ３６への電力を制御する。別の例において、コントローラ４０は少なくとも一つのイルミネータ３６から放射される電磁エネルギーのスペクトルパラメータ（例えば、波長、強度、継続時間など）を、光変性組成物の種類、光変性プロトコルなどの情報に基づいて調整する。別の例において、コントローラ４０は、照射時間パターン、照射間隔パターンなどに関連するパラメータを、光変性プロトコルに示される情報に基づいて調整する。
【００４９】
いくつかの例において、コントローラ４０は、少なくとも一つのイルミネータ３６から放射される電磁エネルギーのスペクトルパラメータを調整し、これにより、放射された電磁エネルギーは生体表面の一つ又は複数の領域に分注された光活性化可能配合物を光活性化するように構成される。
【００５０】
いくつかの実施形態において、アプリケータ２０は、例えば充電式電池などの電源４２も含む。一つの実施形態において、アプリケータ２０は一つ又は複数の電源４２を含む。電源の非限定的な例には、一つ又は複数のボタン電池、化学電池セル、燃料電池、二次電池、リチウムイオン電池、マイクロ電気パッチ、ニッケル金属水素電池、銀亜鉛電池、キャパシタ、スーパーキャパシタ、薄膜二次電池、ウルトラキャパシタ、空気亜鉛電池などが含まれる。電源の更なる非限定的な例には、一つ又は複数の発電機（例えば、電気発電機、熱エネルギー変換発電機、機械エネルギー変換発電機、マイクロ発電機、ナノ発電機など）が含まれ、例えば熱電発電機、圧電発電機、電気機械発電機などがある。一つの実施形態において、電源は少なくとも一つの充電式電源を含む。一つの実施形態において、電源は一つ又は複数のマイクロ電池、印刷されたマイクロ電池、薄膜電池、燃料電池（例えば、バイオ燃料電池、化学燃料電池など）などを含む。
【００５１】
電源４２は、少なくとも一つのイルミネータ３６に電力を供給するように構成されている。一つの実施形態において、アプリケータは電源コントローラ４４を含む。いくつかの例において、電源コントローラ４４は、充電コイル、充電回路、又は電源ボタン３２のためのアクチュエータのうちの一つ又は複数を含む。電源コントローラ４４が充電コイルを含む実施形態においては、充電コイルは電源４２が誘導的に充電されることを可能にする。一つの例において、アプリケータ２０は、アプリケータ２０の電源４２を誘導的に充電するように構成されたクレードル内に置かれた際に充電される。
【００５２】
いくつかの実施形態において、アプリケータ２０は、光活性化可能配合物４８を保持する一つ又は複数の光活性化可能配合物リザーバ４６を含む。光活性配合物アセンブリ２２は、光活性化可能配合物４８を生体表面の一つ又は複数の領域に分注するように配置される。たとえば、開示される実施形態において、光活性配合物アセンブリ２２はローラアセンブリであって、光活性化可能配合物を生体表面上の一つ又は複数の領域に分注する。ローラアセンブリが生体表面の一つ又は複数の領域上をロールされる際に、光活性化可能配合物４８のある量が生体表面の一つ又は複数の領域上に分注される。一つの実施形態において、ローラアセンブリは、フォトドーズアセンブリ２６からの電磁エネルギーをガイドする導波管である。別の実施形態において、光活性配合物アセンブリ２２は、一つ又は複数の光活性化可能配合物リザーバ４６から光活性化可能配合物４８を生体表面の一つ又は複数の領域上に分注し、この分注の速度は光活性化可能配合物４８の光変性速度に見合ったものとなっている。別の実施形態において、光活性配合物アセンブリ２２は少なくとも一つの光活性化可能配合物ネブライザを含む。一つの例において、光活性化可能配合物ネブライザは、光活性配合物アセンブリ２２が光活性化可能配合物４８を分注する際、光活性化可能配合物４８をミストの形態で届ける。
【００５３】
一つの実施形態において、一つ又は複数の光活性化可能配合物リザーバ４６は、光活性化可能配合物４８が生体表面の一つ又は複数の領域上に分注される前に、光活性化可能配合物４８が電磁エネルギーに暴露されることを制限するように構成されている。光活性化可能配合物４８が分注される前に電磁エネルギーに暴露されることを制限することにより、光活性化可能配合物４８が分注される前に活性化される可能性を低減する。一つの実施形態において、一つ又は複数の光活性化可能配合物リザーバ４６は、アプリケータ２０と一体に形成されている。別の実施形態においては、以下に開示されるように、一つ又は複数の光活性化可能配合物リザーバ４６はアプリケータ２０に着脱可能である。
【００５４】
図３〜図６及び図８に開示される実施形態において、光活性配合物アセンブリ２２は、一つ又は複数の光活性化可能配合物リザーバ４６及び光活性化可能配合物４８を含み、交換可能な配合物カートリッジ５０内に保持される。一つの実施形態において、交換可能な配合物カートリッジ５０はアプリケータ２０に着脱可能である。少なくとも一つのイルミネータ３６がアプリケータ２０に固定されている一つの例において、光活性配合物アセンブリ２２もフォトドーズアセンブリ２６に着脱可能である。開示される実施形態において、交換可能な配合物カートリッジ５０は、アプリケータ２０の構造部材５２の雌ねじと係合する雄ねじを含む。別の実施形態において、交換可能な配合物カートリッジ５０は、他の機構、例えばスナップコネクタ、磁気カップリング、又は他の任意の着脱可能な連結機構によってアプリケータ２０に着脱可能である。
【００５５】
この配合物カートリッジの互換性により、ユーザは交換可能な配合物カートリッジ５０を電磁エネルギー源に連結させ、光活性化可能配合物４８を交換可能な配合物カートリッジ５０から生体表面の一つ又は複数の領域に分注し、電磁エネルギーを生体表面の一つ又は複数の焦域に集束させて（例えば、少なくとも一つのイルミネータ３６により）、生体表面の一つ又は複数の領域に分注された光活性化可能配合物４８を活性化させることが可能になる。その後、交換可能な配合物カートリッジ５０は、アプリケータ２０から取り除くことか可能であり、別の配合物カートリッジをアプリケータ２０に連結させることが可能である。この配合物カートリッジの互換性は、異なる光活性アセンブリをフォトドーズアセンブリ２６と共に使用することを可能にする。実際には、ユーザは異なる光活性化可能配合物を異なる配合物カートリッジから分注し、異なる光活性化可能配合物をアプリケータ２０の同一のフォトドーズアセンブリ２６を用いて活性化する。これにより、配合物カートリッジを廃棄可能な品目とする一方で、アプリケータ２０の他の部位を長期に渡って使用することが可能になる。一つの実施形態において、フォトドーズアセンブリ２６からの集束された電磁エネルギーは、複数の波長の電磁エネルギーを含み、当該複数の波長によって光活性化可能配合物の複数のコーティングを光活性化させることができる。
【００５６】
図３〜図５に開示される実施形態において、少なくとも一つのイルミネータ３６は、交換可能な配合物カートリッジ５０の端部であって、ディスペンサー部位２４の反対側に位置している。このような配置によって、少なくとも一つのイルミネータ３６を、交換可能な配合物カートリッジ５０がアプリケータ２０に挿入され連結されている位置から離れた位置に配置させることができる。これにより、少なくとも一つのイルミネータ３６が、交換可能な配合物カートリッジ５０を連結したり外したりする際に損傷を受けたりずれたりすることを防ぐことができる。このような配置により、少なくとも一つのイルミネータ３６を電源４２の近くに配置することも可能となる。少なくとも一つのイルミネータ３６が交換可能な配合物カートリッジ５０の端部であって光活性配合物アセンブリ２２の反対側に配置されている一方で、少なくとも一つの導波路構造３８及び光リング２８は、少なくとも一つのイルミネータ３６からの電磁エネルギーを伝導し、集束された電磁エネルギーを光活性化可能配合物４８が分注された生体表面の一つ又は複数の領域に向けて放射する。
【００５７】
交換可能な配合物カートリッジ５０がアプリケータ２０に着脱可能である一つの実施形態において、交換可能な配合物カートリッジ５０は識別子を含む。いくつかの例において、識別子は、交換可能な配合物カートリッジ５０、交換可能な配合物カートリッジ５０内の光活性化可能配合物４８、交換可能な配合物カートリッジ５０内の光活性化可能配合物４８の活性化波長、交換可能な配合物カートリッジ５０内の光活性化可能配合物４８の活性化電力、あるいは光活性化可能配合物４８又は交換可能な配合物カートリッジ５０についての他の任意の情報のうちの一つ又は複数を識別する。いくつかの例において、識別子は、無線周波数識別（ＲＦＩＤ）タグ、交換可能な配合物カートリッジ５０上の色、交換可能な配合物カートリッジ５０上のバーコード、交換可能な配合物カートリッジ５０上に印刷された情報、または他の任意の種類の識別子のうちの一つ又は複数の形式を有している。
【００５８】
いくつかの実施形態において、電磁エネルギー源の一つ又は複数のスペクトルパラメータを変化させることができる。一つの例において、少なくとも一つのイルミネータ３６は、個別に給電可能な異なる波長を有する複数のイルミネータを含む。別の例において、少なくとも一つのイルミネータ３６は異なるレベルの電力によって給電することができる。さらに別の例において、コントローラ４０は少なくとも一つのイルミネータ３６の一つ又は複数のスペクトルパラメータを制御する。電磁エネルギー源の特性が可変であり、交換可能な配合物カートリッジ５０が識別子を含む一つの実施形態において、電磁エネルギー源の一つ又は複数のスペクトルパラメータは交換可能な配合物カートリッジ５０の識別子に基づいて調整される。たとえば、識別子は光活性化可能配合物４８が３６５ｎｍの活性化波長を有していることを識別し、交換可能な配合物カートリッジ５０がアプリケータ２０に連結された際、約３６５ｎｍの電磁エネルギーを放射するように電磁エネルギー源を調整する。
【００５９】
図７に開示されるアプリケータ２０の端面図において、光活性配合物アセンブリ２２のディスペンサー部位２４は、光リング２８と実質的に同心円状に配置されるものとして示されている。このような配置によれば、光リング２８から放射される電磁エネルギーは、光活性配合物アセンブリ２２の周囲を取り囲んでいる。これにより、光活性配合物アセンブリ２２により分注された任意の光活性化可能配合物が、光リング２８から放射された集束電磁エネルギーに暴露される可能性が向上する。光リング２８のから光活性配合物アセンブリ２２までの距離が近いことは、光活性配合物アセンブリ２２により光活性化可能配合物を分注してから分注された光活性化可能配合物を光リング２８により放射された集束電磁エネルギーに暴露させるまでの時間を削減することも可能である。
【００６０】
ここに開示されるアプリケータ２０の実施形態の利点は、光活性化可能配合物が一つの独立したユニットから分注され、活性化されることを含む。従来の配合物アプリケータは、配合物を分注するが、電磁エネルギー源を含んでいなかった。したがって、従来の配合物アプリケータに光活性化可能配合物を分注する際に使用しても、光活性化可能配合物を適切な電磁エネルギーに暴露させるためには光学装置が別に必要であった。アプリケータで光活性化可能配合物を付与し、光活性化可能配合物を別の光源により活性化させる二段階プロセスは、ユーザにとって扱いにくく、光活性化可能配合物の不適切な付与及び／又は活性化の恐れを引き起こす。従来の配合物アプリケータに伴う問題とは対照的に、ここに開示されるアプリケータ２０の実施形態は、光活性化可能配合物が分注される前に光活性化可能配合物が電磁エネルギーに暴露されることを制限し、光活性化可能配合物を生体表面の一つ又は複数の領域に付与してから電磁エネルギーを用いて光活性化可能配合物を活性化するまでの所要時間を短縮し、光活性化可能配合物が分注される位置の近傍における活性化電磁エネルギーの放射を可能にする。
【００６１】
図９は、光活性化可能配合物を付与する方法６０の一実施形態を開示するものであり、ここに開示される光活性化可能配合物を分注し光活性化可能なアプリケータの実施形態を利用することにより実施可能なものである。ブロック６２において、光活性化可能配合物が、活性配合物アセンブリのディスペンサー部位により一つ又は複数の光活性化可能配合物リザーバから生体表面の一つ又は複数の領域に分注される。ブロック６４において、電磁エネルギーが光活性配合物アセンブリに操作可能に連結されたフォトドーズアセンブリにより集束されて、少なくとも一つのイルミネータら生体表面の一つ又は複数の焦域上へ集束される。集束された電磁エネルギーは、一つ又は複数の光活性化可能配合物リザーバから分注された光活性化可能配合物を光活性化させるのに十分な特性及び継続時間を有している。一つの実施形態において、方法６０はブロック６２及び６４に開示される工程を含む。
【００６２】
一つの実施形態において、方法６０は、光変性組成物の種類が示す一つ又は複数の入力に応じた電磁エネルギー刺激を生成することを含む。例えば、操作の間、アプリケータ２０はリザーバに収容される配合物、カートリッジなどについての情報を検知するように操作可能であり、一つ又は複数の光変性パラメータ（例えば、電磁エネルギーの波長、電磁エネルギーの強度、電磁エネルギーの継続時間など）を検出した情報に基づいて調整することができる。
【００６３】
一つの実施形態において、方法６０はリアルタイムに一つ又は複数の光変性パラメータ（例えば、電磁エネルギーのピーク放射波長、電磁エネルギーの強度、電磁エネルギーの継続時間など）を変化させることを含む。
【００６４】
一つの実施形態において、方法６０は一つ又は複数の光変性パラメータ（例えば、電磁エネルギーのピーク放射波長、電磁エネルギーの強度、電磁エネルギーの継続時間など）を、測定により検出された光活性化可能配合物の分注速度に基づいて変化させることを含む。
【００６５】
一つの実施形態において、方法６０は一つ又は複数の光変性パラメータ（例えば、電磁エネルギーのピーク放射波長、電磁エネルギーの強度、電磁エネルギーの継続時間など）を、測定により検出された、いずれのカートリッジが光活性化可能配合物を分注しているのかの情報に基づいて変化させることを含む。
【００６６】
一つの実施形態において、方法６０は、リザーバの中の配合物、カートリッジなどに関連した光変性プロトコルが示す一つ又は複数の入力に応じて、集束された電磁エネルギーを生成することを含む。
【００６７】
方法６０は、任意でブロック６６、６８、及び７０に開示される工程を含む。ブロック６６において、交換可能な配合物カートリッジがフォトドーズアセンブリを含むアプリケータから取り外される。ブロック６８において、第二の交換可能な配合物カートリッジがアプリケータに連結される。ブロック７０において、第二の光活性化可能配合物が第二の交換可能な配合物カートリッジから生体表面の一つ又は複数の領域上へ分注される。ブロック６６、６８、７０に開示される工程は、フォトドーズアセンブリを含むアプリケータが複数の交換可能な配合物カートリッジと共に使用されることを可能にする。一つの例において、この能力によりユーザは、複数の光活性化可能配合物を、同じアプリケータを使用して分注し光活性化させることが可能になる。上述のように、いくつかの実施形態において、アプリケータは、フォトドーズアセンブリからの電磁エネルギーの一つ又は複数のスペクトルパラメータを、アプリケータに連結された異なる交換可能な配合物カートリッジ及び／又は交換可能な配合物カートリッジから分注された異なる光活性化可能配合物に基づいて調整するように構成されている。
【００６８】
図１０を参照し、アプリケータ２０の任意の実施形態に追加可能な要素について論じる。図１０の要素は他の要素と組み合わせられて示されているが、任意の一つ又は複数の要素を省略することが可能であり、このような要素は単独で、又はアプリケータ２０の実施形態の一つ又は複数の要素との組み合わせにより提供することが可能である。
【００６９】
図１０を参照すると、一つの実施形態において、アプリケータ２０は、近接センサ１０２を含み、これによりイルミネータ３６の活性化及び不活性化を制御し、ディスペンサー部位２４がユーザの皮膚から特定の距離内にある場合にイルミネータ３６が活性化され、ディスペンサー部位２４がユーザの皮膚から特定の距離外にある場合にイルミネータ３６が不活性化される。近接センサ１０２は、アプリケータ２０の内部又は外部に配置可能である。一つの実施形態において、近接センサ１０２はアプリケータ２０の外部に配置されている。近接センサ１０２は、ディスペンサー部位２４が皮膚表面から閾値以上に移動したことを検出するための赤外線センサであっても良い。近接センサ１０２の非限定的な例は、音響センサ（例えば、超音波センサ、音響変換など）、コンダクタンスセンサ、誘電センサ（例えば、キャパシタンスセンサ）、電気化学センサ、蛍光センサ、力センサ、熱センサ（例えば、熱電対、サーミスターなど）、インターデジタルセンサ、光学センサ、生理学的センサ、近接センサ（例えば、誘導近接センサ、非接触電子近接センサなど）などを含む。
【００７０】
一つの実施形態において、近接センサ１０２は接触に基づくものであっても良く、ディスペンサー部位２４が皮膚表面に接触していることを検出している時にのみイルミネータ３６が活性化されることを許容する。接触は本技術分野で公知の任意の数の機構を使用して検出されてもよい。この種類の近接センサ１０２の非限定的な例は、音響センサ（例えば、超音波センサ、音響変換など）、コンダクタンスセンサ、誘電センサ（例えば、キャパシタンスセンサ）、電気化学センサ、蛍光センサ、力センサ、及び圧力センサなどを含む。
【００７１】
図１０に示される別の実施形態において、ディスペンサー部位２４は光透過性のボール２４であり、イルミネータ３６はユーザの皮膚表面上にイメージを投影するように構成されている。一つの実施形態において、イメージはイルミネータ３６からアプリケータ２０の端まで導波管３８を通過する。イメージは、アプリケータ２０を用いた処置方法の指示を表示するため、処置のためにアプリケータをどこに向けるべきかの標的又はガイドを表示するため、あるいは配合物の交換が必要な時や電池が低電力に陥っていることの通知を表示するために使用しても良い。一つの実施形態において、ディスペンサー部位２４の後方近傍に取得カメラ１０４を配置し、ユーザの皮膚の画像を取得してもよい。そのような画像は、局所で使用され、又は遠隔装置へ送信されてユーザの皮膚の状態を診断してもよい。そのような画像は、ユーザに皮膚の特定の領域に配合物を付与するように標的又はガイドを知らせるために使用され、これはイルミネータ３６又は外部装置ディスプレイによりなされる。
【００７２】
図１０に示される別の実施形態において、ディスペンサー部位のボール２４は透明又は生体適合性の導電性コーティング１０６を有することができる。透明又は生体適合性の導電性コーティング１０６は、ディスペンサー部位ボール２４の外部の全体を取り囲んでいる。透明又は生体適合性の導電性コーティング１０６は、回路に電気的に接続され、任意の数の目的を果たす。ボール状のディスペンサー部位２４に適切な、透明で、生体適合性を有し、導電性を有する材料の非限定的な例には、ポリエチレンジオキチオフェン（ＰＥＤＯＴ）及びこれらのナノ複合体（例えば、ＰＥＤＯＴとグラフェンのナノ複合体）が含まれる。一つの実施形態において、導電性コーティング１０６のディスペンサー部位は電源に連結され、イオン導入に使用してもよく、ディスペンサー部位２４は電極として操作可能である。イオン導入は、小さな電流を使用して帯電した種を、膜を越えて届ける技術であり、多くの場合薬剤を皮膚を通して届けるものである。皮膚に接触する少なくとも二つの電極の間に電場を生成することにより、イオン（荷電分子）が皮膚を通過する能動的な輸送が実現される。適切な配合物中のイオンは、イオンと同じ電荷を有するソース電極によって反発され、角質を通ってリターン電極に向かう。スキンケア製品の多くの活性成分はイオンの形態を有しているため、イオン導入はこれらの成分の表皮への浸透を向上する。イオン導入を使用して治療的薬剤をユーザの皮膚に届ける技術についてのより完全な説明は、米国出願第１４／９８４，１０４に開示され、これらの内容を、参照によりその全体を本明細書に組み込むものである。すなわち、ディスペンサー部位２４に付与される電荷は、届けられるイオン種の電荷と同じである。
【００７３】
図１０に示される別の実施形態において、交換可能な配合物カートリッジ５０は、アプリケータ装置に挿入される特定の方向性のみを有するように構成されていてもよく、これによってユーザによるカートリッジの挿入においてミスを防ぐことができる。例えば、図１０によれば、配合物カートリッジ５０の近接端部は、遠隔端部より（ディスペンサー部位２４へ向かって）狭い直径を有しており、よって、配合物カートリッジ５０は近接端部が先に挿入された場合にのみアプリケータ２０に挿入することが出来る。一つの実施形態において、カートリッジ５０は、フォトドーズアセンブリを装着するためのネジ山を一方の端部のみに有している。複数の異なるカートリッジがあってもよく、個々のカートリッジには上述の特定の配合物のいずれかが含まれている。
【００７４】
図１０に示される別の実施形態において、ディスペンサー部位２４の後方にシールド１０８を配置して、イルミネータ３６からの光をディスペンサー部位２４へ向けて透過させつつ、配合物４８を保持するリザーバへ向けての反射光をブロックしてもよい。一つの実施形態において、このシールド１０８は一方向ミラーのように作用してもよく、反射光がリザーバ内の配合物４８を変性させることを防ぐ。一つの実施形態において、シールド１０８は一方向半球ミラー１０８であり、ディスペンサー部位ボール２４の後方に配置され、半球ミラー１０８はイルミネータ３６からの光を一方向に集束させつつ、カートリッジ５０の内部へ戻る光をブロックする。
【００７５】
アプリケータ２０の別の実施形態において、異なる範囲のＵＶ光波長を配合物に応じて使用してもよい。図１０によれば、一つの実施形態においては、光活性配合物アセンブリ２２は、情報（例えば波長、時間、振幅、又は配合物４８を活性化可能な組み合わせ）が埋めこまれたＲＦＩＤ又は任意の他の機械読取り可能な特性１１６を含み、フォトドーズアセンブリ２６はＲＦＩＤリーダー又はリーダー１１８を含み、光活性配合物アセンブリ２２がフォトドーズアセンブリ２６に挿入された際にリーダー１１８が機械読取り可能な特性１１６の近傍に位置し、機械読取り可能な特性１１６に提供された情報を読み取ることが可能となる。一つの実施形態において、機械読取り可能な特性１１６から得られた情報に基づいて、フォトドーズアセンブリ２６はイルミネータ３６から送られる電磁エネルギーの波長、イルミネータ３６がオンになっている時間、イルミネータ３６により生成される電磁エネルギーの振幅、又は任意の組み合わせを制御する。このようにして、電磁エネルギーの特性は自動的にアプリケータ２０に組み込まれ、いかなる導入エラーも防がれる。一つの実施形態において、「機械読取り可能な特性」は広く任意の保持デバイスであって、電気的に読取り可能な情報、例えばＲＦＩＤタグ、磁気チップ、バーコード、二次元バーコード、他の電気的に読取り可能なチップ、マークなどを有しているものを意味する。
【００７６】
図１０に示される別の実施形態において、導波路構造３８はカートリッジ５０の外側に配置されていてもよい。一つの実施形態において、導波路構造３８は実際にカートリッジ５０そのものと一体化しているが、アプリケータ２０の中心を通るのではなく、むしろカートリッジ５０の外側の表面に配置されている。例えば、一つの実施形態において、図５に示される構造部材５２は省略され、導波管３８はカートリッジ５０（光活性配合物アセンブリ）の外面に直接付けられている。
【００７７】
図１１に示される別の実施形態において、アプリケータ２０は、カートリッジ５０の周囲の空洞１１０内の自由空間の伝搬を可能にするように構成され、光源イルミネータ３６は筐体内において、挿入されたディスペンサカートリッジ５０を越えて配置され、カートリッジ５０の円周方向の隙間においてイルミネータ３６からカートリッジ５０の分注端への光の伝搬が可能となっている。例えば、空洞１１０は楕円反射鏡として構成されてもよい。一つの実施形態において、空洞１１０はアプリケータ２０の壁の内側に設けられた反射面１１２に覆われ、カートリッジ５０は当該カートリッジ５０の外側に反射面１１４を有している。このようにして、楕円反射鏡が形成される。
【００７８】
図１０に示される別の実施形態において、ボールディスペンサー部位２４は液体又はゲルを収めるフレキシブルな外面１１０を有し、外面１１０は変形によりユーザの皮膚の輪郭に沿って合わせることが可能である。一つの実施形態において、外面１１０はエラストマー、例えばラテックス、ゴム、ポリイソプレン、ポリブタジエン、クロロプレン、ブチルゴム、ニトリルゴム、エチレンプロピレンゴム、又はシリコンなどであってもよい。一つの実施形態において、ディスペンサー部位２４はフレキシブルな外面１１０内に液体又はゲルを保持している。一つの実施形態において、ディスペンサー部位ボール２４は僅かに柔軟性及び弾性を有しているため、分注の際に皮膚に沿うことができつつ、アプリケータ２０の支持面内の形状を維持することが可能である。
【００７９】
本開示の目的上、「上部」、「下部」、「垂直」、「水平」、「内側へ」、「外側へ」、「内側の」、「外側の」、「前」、「後部」などの用語は、説明に用いられるものであって、請求項の主題の範囲を限定するものではないと解釈されるべきである。さらに、本明細書の「含む」、「含有する」又は「有する」及びそれらの変形は、その後に列挙される項目及びその等価物ならびに追加の項目を包含することを意味する。特段の制限がない限り、本明細書における「接続された」、「結合された」、及び「取り付けられた」という用語及びそれらの変形は、広く用いられ、直接的および間接的な接続、結合および取り付けを含む。
【００８０】
本開示の原理、代表的な実施形態、及び動作様式は、上記の説明において記載された。しかしながら、保護されることを意図する本開示の側面は、開示された特定の実施形態に限定されると解釈されるべきではない。さらに、本明細書に記載の実施形態は、限定的ではなく例示的なものとみなされるべきである。本開示の精神から逸脱することなく、他のものによって調整および変更を行い、均等のものを採用できることが理解されよう。従って、請求項に記載された本開示の精神および範囲内にそのような調整、変更、および均等物がすべて含まれることが明白に意図される。
【００８１】
さらに、以下の特許及び出願が参照によりあらゆる目的において参照により明白に本明細書に組み込まれる：米国出願第１４／６１３，０５９号、米国出願第１４／６１２，２１５号、米国出願第１１／３４６，６２２号、米国出願第１１／１１６，４３４号、米国特許第６０３０３７４号、米国特許第７００４９３３号、米国特許第６２８３９５６号、米国特許第７４９４５０３号、米国出願第０９／８１９，０８２、米国出願第０９／８１９，０８３号、米国特許第６６２９９７１号、米国特許第７２０１７６５号、米国出願第１１／２１２，９１６号、米国出願第１１／３３２，５１７号、米国特許第６８８７２６０号、米国特許第６９３０４４号、米国出願第１１／３６６，８１１号、米国出願第０９／３２２，９８１号、米国出願第０９／７５９，０９４号、米国特許第６６６３６５９号、米国特許第６６７６５５号、米国出願第１０／６６５，３９０号、米国出願第１０／９０３，４８３号、米国出願第１１／１８７，２４１号、米国出願第１１／２０５，３１６号、米国出願第６０／６０１，９９５号、米国出願第１１／２７２，０４２号、米国出願第６０／６２７，１１０号、米国出願第６０／６２６，４９２号、米国出願第１２／５８３，５６２号、米国出願第１２／５８３，５７８号、米国出願第１２／５５０，７４９号、米国出願第１２／５５０，７９９号、米国出願第１２／５５０，４６４号、及び米国出願第１２／５４９，９７６号。
排他的な特性または特権が主張される本発明の実施形態は、特許請求の範囲のように定義される。
【図１】
2018529397.tif 000003
【図２】
2018529397.tif 000004
【図３】
2018529397.tif 000005
【図４】
2018529397.tif 000006
【図５】
2018529397.tif 000007
【図６】
2018529397.tif 000008
【図７】
2018529397.tif 000009
【図８】
2018529397.tif 000010
【図９】
2018529397.tif 000011
【図１０】
2018529397.tif 000012
【図１１】
2018529397.tif 000013
【国際調査報告】
2018529397.tif 000014
2018529397.tif 000015
2018529397.tif 000016
2018529397.tif 000017
2018529397.tif 000018
2018529397.tif 000019